(57)【要約】【課題】カーソル画像等の注目部分の動きに応じて注目部分付近の画像を自動的に表示することが可能な表示装置等を提供すること。【解決手段】プロジェクタ１０が、ＰＣ２０からＰＣ２０の画面に表示された画像におけるカーソル画像の位置を示すカーソル位置情報を一定時間ごとに入力する情報入力部４１０と、ＰＣ２０から前記画像を表示するための画像信号を入力する画像信号入力部４２０と、前記カーソル位置情報に基づき、前記カーソル画像の移動方向と移動量を検出する移動検出部４３０と、前記移動方向と、前記移動量とに基づき、前記画像の一部の領域であって、かつ、前記カーソル画像が含まれる領域である対象領域を決定する対象領域決定部４４０と、前記画像信号に基づき、前記対象領域を投写する投写部４５０とを含んで構成される。【選択図】図５
2007240584.tif 000002
【特許請求の範囲】
【請求項１】
画像供給装置から当該画像供給装置の画面に表示された画像におけるカーソル画像の位置を示すカーソル位置情報を一定時間ごとに入力する情報入力部と、
前記画像供給装置から前記画像を表示するための画像信号を入力する画像信号入力部と、
前記カーソル位置情報に基づき、前記カーソル画像の移動方向と移動量を検出する移動検出部と、
前記移動方向と、前記移動量とに基づき、前記画像の一部の領域であって、かつ、前記カーソル画像が含まれる領域である対象領域を決定する対象領域決定部と、
前記画像信号に基づき、前記対象領域を投写する投写部と、
を含むことを特徴とする表示装置。
【請求項２】
請求項１に記載の表示装置において、
前記情報入力部は、前記カーソル画像の移動速度が所定値以上の場合、前記一定時間を初期値よりも長くすることを特徴とする表示装置。
【請求項３】
請求項１、２のいずれかに記載の表示装置において、
前記対象領域決定部は、前記カーソル画像の移動速度が所定値以上の場合、前記カーソル画像の位置から前記対象領域の境界線までの距離を初期値よりも長くすることを特徴とする表示装置。
【請求項４】
請求項１〜３のいずれかに記載の表示装置において、
前記カーソル画像は、マウスまたはリモートコントローラによる指示位置を示す画像であることを特徴とする表示装置。
【請求項５】
撮像装置から撮像画像を表示するための画像信号を一定時間ごとに入力する画像信号入力部と、
前記撮像情報に基づき、前記撮像画像における注目部分の移動方向と移動量を検出する移動検出部と、
前記移動方向と、前記移動量とに基づき、前記撮像画像の一部の領域であって、かつ、前記注目部分が含まれる領域である対象領域を決定する対象領域決定部と、
前記画像信号に基づき、前記対象領域を表示する表示部と、
を含むことを特徴とする表示装置。
【請求項６】
情報入力部と、画像信号入力部と、投写部とを有するコンピュータを、
画像供給装置から当該画像供給装置の画面に表示された画像におけるカーソル画像の位置を示すカーソル位置情報を一定時間ごとに前記情報入力部に入力させるとともに、前記画像供給装置から前記画像を表示するための画像信号を前記画像信号入力部に入力させる入力制御部と、
前記カーソル位置情報に基づき、前記カーソル画像の移動方向と移動量を検出する移動検出部と、
前記移動方向と、前記移動量とに基づき、前記画像の一部の領域であって、かつ、前記カーソル画像が含まれる領域である対象領域を決定する対象領域決定部と、
前記画像信号に基づき、前記対象領域を前記投写部に投写させる表示制御部として機能させることを特徴とするプログラム。
【請求項７】
画像信号入力部と、投写部とを有するコンピュータを、
撮像装置から撮像画像を表示するための画像信号を一定時間ごとに前記画像信号入力部に入力させる入力制御部と、
前記撮像情報に基づき、前記撮像画像における注目部分の移動方向と移動量を検出する移動検出部と、
前記移動方向と、前記移動量とに基づき、前記撮像画像の一部の領域であって、かつ、前記注目部分が含まれる領域である対象領域を決定する対象領域決定部と、
前記画像信号に基づき、前記対象領域を前記表示部に表示させる表示制御部として機能させることを特徴とするプログラム。
【請求項８】
請求項６、７のいずれかに記載のプログラムを記憶した、コンピュータ読み取り可能な情報記憶媒体。
【発明の詳細な説明】
【技術分野】
【０００１】
本発明は、表示制御を行う表示装置、プログラムおよび情報記憶媒体に関する。
【背景技術】
【０００２】
例えば、ＰＣからの画像をプロジェクタが投写する場合、画像全体を投写するのではなく、ズーム投写等によって矢印状のカーソル画像の周辺の画像のみを投写する場合がある。また、カーソル画像はマウス操作等によって移動してしまうため、カーソル画像が対象領域外に移動した場合、プロジェクタがカーソル画像周辺の画像を投写するためには、ズーム投写を解除するか、プロジェクタの表示位置調整機能を使用して表示位置を調整する必要があった。
【０００３】
別の手法として、例えば、特許文献１では、ユーザーが、ＰＣの画像において、ズームポイントを指定し、ＰＣが、ズームコマンドとマウスの位置情報をケーブルを介してプロジェクタに送信し、プロジェクタが、当該位置情報に基づく位置を中心にズームを行うことが記載されている。
【特許文献１】特開２００５−３７２３号公報
【発明の開示】
【発明が解決しようとする課題】
【０００４】
しかし、この手法では、ユーザーがズームを行おうとする度にズームポイントを指定する必要があり、手間がかかる。
【０００５】
本発明の目的は、カーソル画像等の注目部分の動きに応じて注目部分付近の画像を自動的に表示することが可能な表示装置、プログラムおよび情報記憶媒体を提供することにある。
【課題を解決するための手段】
【０００６】
上記課題を解決するため、本発明に係る表示装置は、
画像供給装置から当該画像供給装置の画面に表示された画像におけるカーソル画像の位置を示すカーソル位置情報を一定時間ごとに入力する情報入力部と、
前記画像供給装置から前記画像を表示するための画像信号を入力する画像信号入力部と、
前記カーソル位置情報に基づき、前記カーソル画像の移動方向と移動量を検出する移動検出部と、
前記移動方向と、前記移動量とに基づき、前記画像の一部の領域であって、かつ、前記カーソル画像が含まれる領域である対象領域を決定する対象領域決定部と、
前記画像信号に基づき、前記対象領域を投写する投写部と、
を含むことを特徴とする。
【０００７】
また、本発明に係るプログラムは、
情報入力部と、画像信号入力部と、投写部とを有するコンピュータを、
画像供給装置から当該画像供給装置の画面に表示された画像におけるカーソル画像の位置を示すカーソル位置情報を一定時間ごとに前記情報入力部に入力させるとともに、前記画像供給装置から前記画像を表示するための画像信号を前記画像信号入力部に入力させる入力制御部と、
前記カーソル位置情報に基づき、前記カーソル画像の移動方向と移動量を検出する移動検出部と、
前記移動方向と、前記移動量とに基づき、前記画像の一部の領域であって、かつ、前記カーソル画像が含まれる領域である対象領域を決定する対象領域決定部と、
前記画像信号に基づき、前記対象領域を前記投写部に投写させる表示制御部として機能させることを特徴とする。
【０００８】
また、本発明に係る情報記憶媒体は、コンピュータ読み取り可能な情報記憶媒体であって、上記プログラムを記憶したことを特徴とする。
【０００９】
本発明によれば、表示装置等は、カーソル画像の移動方向と移動量を検出することによってカーソル画像の動きを把握することにより、カーソル画像が移動した場合であってもカーソル画像が含まれる対象領域を表示することができるため、カーソル画像等の注目部分の動きに応じて注目部分付近の画像を自動的に表示することができる。
【００１０】
また、本発明に係る表示装置は、
撮像装置から撮像画像を表示するための画像信号を一定時間ごとに入力する画像信号入力部と、
前記撮像情報に基づき、前記撮像画像における注目部分の移動方向と移動量を検出する移動検出部と、
前記移動方向と、前記移動量とに基づき、前記撮像画像の一部の領域であって、かつ、前記注目部分が含まれる領域である対象領域を決定する対象領域決定部と、
前記画像信号に基づき、前記対象領域を表示する表示部と、
を含むことを特徴とする。
【００１１】
また、本発明に係るプログラムは、
画像信号入力部と、投写部とを有するコンピュータを、
撮像装置から撮像画像を表示するための画像信号を一定時間ごとに前記画像信号入力部に入力させる入力制御部と、
前記撮像情報に基づき、前記撮像画像における注目部分の移動方向と移動量を検出する移動検出部と、
前記移動方向と、前記移動量とに基づき、前記撮像画像の一部の領域であって、かつ、前記注目部分が含まれる領域である対象領域を決定する対象領域決定部と、
前記画像信号に基づき、前記対象領域を前記表示部に表示させる表示制御部として機能させることを特徴とする。
【００１２】
また、本発明に係る情報記憶媒体は、コンピュータ読み取り可能な情報記憶媒体であって、上記プログラムを記憶したことを特徴とする。
【００１３】
本発明によれば、表示装置等は、注目部分の移動方向と移動量を検出することによって注目部分の動きを把握することにより、注目部分が移動した場合であっても注目部分が含まれる対象領域を表示することができるため、注目部分の動きに応じて注目部分付近の画像を自動的に表示することができる。
【００１４】
また、前記情報入力部は、前記カーソル画像の移動速度が所定値以上の場合、前記一定時間を初期値よりも長くしてもよい。
【００１５】
これによれば、表示装置等は、カーソル画像の動きが速すぎる場合にカーソル画像の位置取得間隔を長くすることにより、対象領域が頻繁に変化することを防止できるため、画像のちらつき等を防止できる。
【００１６】
また、前記対象領域決定部は、前記カーソル画像の移動速度が所定値以上の場合、前記カーソル画像の位置から前記対象領域の境界線までの距離を初期値よりも長くしてもよい。
【００１７】
これによれば、表示装置等は、カーソル画像の動きが速い場合に対象領域の境界線までの距離を長くすることにより、カーソル画像が対象領域外に出ることを防止できるため、注目部分の動きに応じて注目部分付近の画像を自動的に表示することができる。
【００１８】
また、前記カーソル画像は、マウスまたはリモートコントローラによる指示位置を示す画像であってもよい。
【００１９】
これによれば、表示装置等は、ユーザーによるマウスまたはリモートコントローラの操作に応じてユーザーが指示する表示領域を自動的に表示することができる。
【発明を実施するための最良の形態】
【００２０】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２１】
図１は、ズーム投写を行わない場合の投写状況を示す図である。
【００２２】
表示装置の一種であるプロジェクタ１１は、ケーブル３０を介して画像供給装置の一種であるＰＣ２０と接続されている。ユーザーは、ＰＣ２０のマウスを用いてＰＣ２０の画面に表示される画像２００内の矢印状（形状は任意であり、三角形状等であってもよい。）のカーソル画像２１０を移動させる。
【００２３】
プロジェクタ１１は、ＰＣ２０からの画像信号を入力し、画像２００と同様の画像１００を投写する。ＰＣ２０と等倍で画像１００が投写される場合、画像１００では、画像２００と同じ位置にカーソル画像１１０が表示される。
【００２４】
図２は、ズーム投写を行う場合の投写状況を示す図である。
【００２５】
例えば、プロジェクタ１１が、ズーム投写を行った場合、全体画像３００の一部である画像１０１が拡大されて表示される。
【００２６】
図３は、従来のズーム投写を行う場合の投写状況を示す図である。
【００２７】
また、図２に示す状態で、ユーザーがカーソル画像２１０を右上に移動させた場合、プロジェクタ１１が投写する画像１０２からカーソル画像１１０がはみ出してしまい、画像１０２ではカーソル画像１１０が表示されなくなってしまう。
【００２８】
図４は、本実施例のズーム投写を行う場合の投写状況を示す図である。
【００２９】
本実施例のプロジェクタ１０は、ＰＣ２０からカーソル画像２１０の位置情報を入力し、カーソル画像２１０の移動に応じてズーム投写する対象領域を決定することにより、当該対象領域を示す画像１０３にカーソル画像１１０が含まれるように画像１０３を投写する。
【００３０】
次に、このような機能を実装するためのプロジェクタ１０の機能ブロックについて説明する。
【００３１】
図５は、本実施例のプロジェクタ１０の機能ブロック図である。
【００３２】
プロジェクタ１０は、ＰＣ２０からＰＣ２０の画面に表示された画像２０１におけるカーソル画像２１０の位置を示すカーソル位置情報を一定時間（例えば、１秒等）ごとに入力する情報入力部４１０と、ＰＣ２０から画像２０１を表示するための画像信号を入力する画像信号入力部４２０と、カーソル位置情報に基づき、カーソル画像２１０の移動方向と移動量を検出する移動検出部４３０と、移動方向と、移動量とに基づき、画像２０１の一部の領域であって、かつ、カーソル画像２１０が含まれる領域である対象領域を決定する対象領域決定部４４０と、画像信号に基づき、対象領域を投写する投写部４５０とを含んで構成されている。
【００３３】
なお、これらの各部を実装するためのハードウェアとしては以下のものを採用可能である。例えば、情報入力部４１０、画像信号入力部４２０としては入出力ポート、システムタイマー等、移動検出部４３０、対象領域決定部４４０としては、ＣＰＵ、ＲＡＭ等、投写部４５０としては液晶パネル、ドライバ等を採用可能である。
【００３４】
また、プロジェクタ１０は、情報記憶媒体５００からプログラムを読み取ることにより、これらの各部の機能を実装してもよい。
【００３５】
なお、情報記憶媒体５００としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体５００からのプログラムの読み取り方式は、接触式でも非接触式でもよい。また、プロジェクタ１０は、ネットワークを介してプログラムをダウンロードすることにより、これらの各部の機能を実装してもよい。
【００３６】
次に、これらの各部を用いた表示制御処理について説明する。
【００３７】
図６は、本実施例の表示制御処理の流れを示すフローチャートである。
【００３８】
画像信号入力部４２０は、ＰＣ２０から画像信号を入力する（ステップＳ１）。
【００３９】
情報入力部４１０は、前回カーソル位置情報を入力してから一定時間が経過したかどうかを判定する（ステップＳ２）。
【００４０】
一定時間が経過した場合、情報入力部４１０は、ＰＣ２０からカーソル画像２１０の位置情報を入力する（ステップＳ３）。なお、カーソル画像２１０の位置情報は、例えば、ＰＣ２０のマウスの操作情報に基づいて生成される。
【００４１】
移動検出部４３０は、当該位置情報に基づき、カーソル画像２１０の移動方向と移動量を検出する（ステップＳ４）。より具体的には、移動検出部４３０は、ｔ時点のカーソル画像２１０の位置と、ｔ時点から一定時間経過したｔ＋１時点のカーソル画像２１０の位置とを比較することにより、上記一定時間におけるカーソル画像２１０の移動方向と移動量を検出する。
【００４２】
対象領域決定部４４０は、移動検出部４３０によって検出されたカーソル画像２１０の移動方向と移動量に基づき、ズーム投写する対象領域を決定する（ステップＳ５）。なお、本実施例では、対象領域決定部４４０は、カーソル画像２１０の移動速度（単位時間当たりの移動量）が所定値以上の場合、カーソル画像２１０の位置から対象領域の境界線までの距離を初期値よりも長くする。
【００４３】
図７は、カーソル画像２１０の移動速度と対象領域との関係を示す図である。
【００４４】
例えば、ｔ時点におけるカーソル画像２１０の位置がＰ０（x0,y0）の場合、対象領域決定部４４０は、境界線が（x0+X1,y0）、（x0,y0+Y1）と一致するように対象領域１０４を決定する。
【００４５】
そして、対象領域決定部４４０は、対象領域の更新時（または対象領域からカーソル画像２１０が出た場合）であるt+1時点におけるカーソル画像２１０の位置がP1（x1,y1）の場合、対象領域決定部４４０は、境界線が（x1+X1,y1）、（x1,y1+Y1）と一致するように対象領域１０５を決定する。
【００４６】
そして、対象領域決定部４４０は、対象領域の更新時ではないt+2時点におけるカーソル画像２１０の位置がP2（x2,y2）である場合および対象領域の更新時ではないt+3時点におけるカーソル画像２１０の位置がP3（x3,y3）である場合、P2およびP3は対象領域１０５内であるため、対象領域１０５を更新しない。
【００４７】
このように、対象領域１０５を更新しないことにより、プロジェクタ１０は、画像のちらつきを防止することができる。
【００４８】
これに対し、対象領域の更新時であるt+1時点におけるカーソル画像２１０の位置がP1’（x3,y3）の場合、対象領域決定部４４０は、境界線が（x3+X1,y3）、（x3,y3+Y1）と一致するように対象領域１０６を決定する。この場合、上記のP1、P2、P3と変化する場合と比べ、移動量が３倍になっている。
【００４９】
この場合、P1’を基準に対象領域１０６が決定されたとしても、カーソル画像２１０の位置がP1’、P2’、P3’と変化することにより、t+3時点において、対象領域１０６からカーソル画像２１０がはみ出してしまい、対象領域決定部４４０は、対象領域１０６を更新しなければならなくなる。
【００５０】
そこで、本実施例では、カーソル画像２１０の移動速度が所定値（例えば、マウス移動速度の平均値等）以上の場合、カーソル画像２１０の位置から対象領域１０７までの距離を水平方向X2(>X1)、垂直方向Y2(>Y1)のように初期値よりも長くする。これにより、対象領域決定部４４０は、カーソル画像２１０の移動速度が速い場合であっても、対象領域１０７を更新する頻度を減らすことができ、画像１０３のちらつきを低減することができる。
【００５１】
そして、投写部４５０は、このようにして決定された対象領域１０６をズーム投写する（ステップＳ６）。これにより、対象領域１０６を拡大した画像１０３が表示される。
【００５２】
そして、プロジェクタ１０は、画像信号の入力が終了するまで（ステップＳ７）、ステップＳ１〜Ｓ７の処理を繰り返し実行する。
【００５３】
以上のように、本実施例によれば、プロジェクタ１０は、カーソル画像２１０の移動方向と移動量を検出することによってカーソル画像２１０の動きを把握することにより、カーソル画像２１０が移動した場合であってもカーソル画像２１０が含まれる対象領域を自動的に表示することができるため、カーソル画像２１０等の注目部分の動きに応じて注目部分付近の画像を自動的に表示することができる。
【００５４】
また、本実施例によれば、プロジェクタ１０は、カーソル画像２１０の動きが速い場合に対象領域の境界線までの距離を長くすることにより、カーソル画像２１０が対象領域外に出ることを防止できるため、注目部分の動きに応じて注目部分付近の画像を自動的に表示することができる。
【００５５】
なお、本発明の適用は上述した実施例に限定されず、種々の変形が可能である。
【００５６】
例えば、上述したように、対象領域を更新するタイミングは、所定時間（例えば、１０秒等）ごとであってもよいし、カーソル画像２１０の位置が対象領域外になった場合であってもよい。
【００５７】
また、情報入力部４１０は、カーソル画像２１０の移動速度が所定値以上の場合、上記一定時間を初期値よりも長くしてもよい。
【００５８】
これによれば、プロジェクタ１０は、カーソル画像２１０の動きが速すぎる場合にカーソル画像２１０の位置取得間隔を長くすることにより、対象領域が頻繁に変化することを防止できるため、画像のちらつき等を防止できる。
【００５９】
もちろん、情報入力部４１０は、カーソル画像２１０の移動速度が所定値未満の場合、上記一定時間を初期値よりも短くしてもよい。
【００６０】
これによれば、プロジェクタ１０は、情報入力部４１０の処理負荷を軽減できる。
【００６１】
また、カーソル画像２１０の移動はＰＣ２０のマウスによるものに限定されず、例えば、プロジェクタ１０のリモートコントローラによるものであってもよい。この場合、リモートコントローラによる操作情報がプロジェクタ１０からＰＣ２０に出力され、ＰＣ２０が当該操作情報に基づいてカーソル画像２１０を移動させる。
【００６２】
また、情報入力部４１０は、ＰＣ２０からカーソル位置情報以外の操作情報を入力してもよい。例えば、情報入力部４１０は、ＰＣ２０からマウスの移動情報以外の操作情報を入力してもよい。この場合、対象領域決定部４４０は、当該操作情報に基づいて対象領域を決定してもよい。より具体的には、例えば、対象領域決定部４４０は、マウスのクリック操作情報が入力された場合、カーソル画像２１０の位置を中心にして対象領域を決定してもよい。
【００６３】
また、本発明の適用はズーム投写を行う場合に限定されず、画像供給装置側の表示領域よりも表示装置側の表示領域が狭い場合に、表示装置が画像供給装置側の表示領域の一部を表示する場合にも本発明は有効である。
【００６４】
また、本発明を適用可能なプロジェクタは、前面投写型のプロジェクタに限定されず、背面投写型のプロジェクタであってもよい。また、プロジェクタは、液晶プロジェクタには限定されず、ＣＲＴプロジェクタ、ＤＬＰプロジェクタ、ＬＥＤプロジェクタ等であってもよい。
【００６５】
また、本発明を適用可能な表示装置は、プロジェクタ１０に限定されず、例えば、ＴＶ、モニタ等であってもよい。また、画像供給装置はＰＣ２０に限定されず、例えば、デジタルカメラ、デジタルビデオカメラ等であってもよい。
【００６６】
より具体的には、例えば、電子図書の内容を拡大してモニタに表示する装置において、本発明を適用することにより、カーソルの移動に伴い、拡大箇所を自動的に移動させてモニタに表示することができる。
【００６７】
また、例えば、表示装置は、撮像装置（デジタルカメラ、デジタルビデオカメラ等）から撮像画像を表示するための画像信号を一定時間ごとに入力する画像信号入力部と、前記撮像情報に基づき、前記撮像画像における注目部分の移動方向と移動量を検出する移動検出部と、前記移動方向と、前記移動量とに基づき、前記撮像画像の一部の領域であって、かつ、前記注目部分が含まれる領域である対象領域を決定する対象領域決定部と、前記画像信号に基づき、前記対象領域を表示する表示部とを含んで構成されてもよい。
【００６８】
より具体的には、このような構成を採用することにより、例えば、手術で患部をカメラで撮像し、撮像画像を拡大してモニタに表示し、医者がモニタの画像を見ながら手術を行う場合、カメラの撮像範囲内にある医療器具（注目部分）の移動に追随してモニタの画像を更新する表示装置を実現できる。
【００６９】
また、このような構成を採用することにより、例えば、デジタルカメラ、ＴＶカメラ、監視用カメラ等のズーム表示において、カメラの撮像範囲内にある被写体（注目部分）の移動に追随してモニタの画像を更新する表示装置を実現できる。
【００７０】
なお、撮像画像の場合、移動検出部は、撮像情報に含まれる色情報、輝度情報等から注目部分の位置を決定すればよい。
【００７１】
また、プロジェクタ１０の機能を複数の装置に分散して実装してもよい。例えば、移動検出部４３０および対象領域決定部４４０の機能をＰＣ２０に設けてもよい。この場合、プロジェクタ１０の送信部が、ＰＣ２０にプロジェクタ１０側の表示領域を示す情報を送信し、ＰＣ２０の移動検出部４３０がカーソル位置を検出し、ＰＣ２０の対象領域決定部４４０がプロジェクタ１０側の表示領域を示す情報と、カーソル位置に基づいて適切な対象領域を求め、ＰＣ２０の送信部が当該対象領域を示す情報をプロジェクタ１０に送信してもよい。
【図面の簡単な説明】
【００７２】
【図１】ズーム投写を行わない場合の投写状況を示す図である。
【図２】ズーム投写を行う場合の投写状況を示す図である。
【図３】従来のズーム投写を行う場合の投写状況を示す図である。
【図４】本実施例のズーム投写を行う場合の投写状況を示す図である。
【図５】本実施例のプロジェクタの機能ブロック図である。
【図６】本実施例の表示制御処理の流れを示すフローチャートである。
【図７】カーソル画像の移動速度と対象領域との関係を示す図である。
【符号の説明】
【００７３】
１０、１１  プロジェクタ（表示装置）、２０  ＰＣ（画像供給装置）、３０  ケーブル、１００、１０１〜１０３、２００、２０１  画像、１１０、２１０  カーソル画像、１０４〜１０７  対象領域、４１０  情報入力部、４２０  画像信号入力部、４３０  移動検出部、４４０  対象領域決定部、４５０  投写部、５００  情報記憶媒体
【図１】
2007240584.tif 000003
【図２】
2007240584.tif 000004
【図３】
2007240584.tif 000005
【図４】
2007240584.tif 000006
【図５】
2007240584.tif 000007
【図６】
2007240584.tif 000008
【図７】
2007240584.tif 000009